(57)【特許請求の範囲】
【請求項１】
磁気データが記録される磁気情報記録媒体が搬送される媒体搬送路を備えるとともに、前記媒体搬送路で搬送される前記磁気情報記録媒体の厚さ方向の一方を第１方向とすると、前記第１方向側から前記媒体搬送路に臨むように配置される磁気ヘッドを有する磁気ヘッドモジュールと、前記媒体搬送路の前記第１方向側の搬送面が形成されるフレームとを備え、
前記フレームには、前記磁気ヘッドが配置される開口部と、前記磁気ヘッドモジュールが固定されるモジュール固定部とが形成され、
前記磁気ヘッドモジュールは、前記媒体搬送路で搬送される前記磁気情報記録媒体の搬送方向を回動の軸方向とする前記磁気ヘッドの回動が可能となるように、かつ、前記磁気情報記録媒体の厚さ方向へ前記磁気ヘッドが移動可能となるように前記磁気ヘッドを保持するヘッド保持部を備え、前記第１方向側から前記モジュール固定部に固定されていることを特徴とする磁気情報記録媒体処理装置。
【請求項２】
前記ヘッド保持部は、前記モジュール固定部に固定される被固定部材を備え、
前記被固定部材には、前記磁気情報記録媒体の搬送方向において前記磁気ヘッドの両側に配置されるガイド部が形成され、
前記ガイド部は、前記媒体搬送路に臨むように前記開口部に配置されていることを特徴とする請求項１記載の磁気情報記録媒体処理装置。
【請求項３】
前記磁気ヘッドモジュールは、前記第１方向側から前記モジュール固定部に係合するネジによって前記モジュール固定部に固定されていることを特徴とする請求項１または２記載の磁気情報記録媒体処理装置。
【発明の詳細な説明】
【技術分野】
【０００１】
本発明は、磁気情報記録媒体に記録される磁気データの読取りや磁気情報記録媒体への磁気データの記録を行う磁気情報記録媒体処理装置に関する。
【背景技術】
【０００２】
従来、磁気情報記録媒体に記録される磁気データの読取りや磁気情報記録媒体への磁気データの記録を行う磁気情報記録媒体処理装置が知られている（たとえば、特許文献１参照）。特許文献１に記載の磁気情報記録媒体処理装置には、磁気情報記録媒体が搬送される媒体搬送路が形成されている。また、この磁気情報記録媒体処理装置は、磁気ヘッド組を備えている。磁気ヘッド組は、磁気ヘッドと、磁気ヘッドを保持するヘッドブラケットと、ヘッドブラケットに形成されるピン孔に挿通されるガイドピンと、ガイドピンが固定される枠体とを備えている。
【０００３】
特許文献１に記載の磁気情報記録媒体処理装置では、媒体搬送路で搬送される磁気情報記録媒体の搬送方向と磁気情報記録媒体の厚さ方向とに直交する方向を磁気情報記録媒体の幅方向とすると、磁気情報記録媒体の幅方向における枠体の側面に、磁気ヘッド組を装置フレームに固定するためのネジ孔が形成されている。磁気ヘッド組は、磁気情報記録媒体の幅方向の一方から枠体のネジ孔に係合するネジによって装置フレームに固定されている。
【先行技術文献】
【特許文献】
【０００４】
【特許文献１】特開２００７−６６０２３号公報
【発明の概要】
【発明が解決しようとする課題】
【０００５】
特許文献１に記載の磁気情報記録媒体処理装置では、磁気情報記録媒体処理装置を制御するための電子部品等が実装された回路基板が、磁気情報記録媒体の幅方向における装置フレームの側面に沿って配置されて取り付けられることが多い。そのため、特許文献１に記載の磁気情報記録媒体処理装置では、回路基板が取り付けられた状態でもドライバー等の工具を用いて装置フレームに磁気ヘッド組をネジ止めすることができるように、工具を通すための作業用の孔が回路基板に形成される場合がある。
【０００６】
この場合には、回路基板が取り付けられた状態でも、回路基板に形成される作業用の孔を利用して、装置フレームに対する磁気ヘッド組の着脱を行うことが可能になるため、磁気ヘッド組を容易に交換することが可能になる。しかしながら、回路基板に作業用の孔が形成されると、作業用の孔の分だけ回路基板の実装面積が減るため、実装面積の減少分、回路基板を大きくしなければならない場合が生じる。
【０００７】
そこで、本発明の課題は、媒体搬送路で搬送される磁気情報記録媒体の搬送方向と磁気情報記録媒体の厚さ方向とに直交する磁気情報記録媒体の幅方向におけるフレームの側面に沿って配置される回路基板が取り付けられた状態でも、また、回路基板に作業用の孔が形成されていなくても、磁気ヘッドを有する磁気ヘッドモジュールを容易に交換することが可能な磁気情報記録媒体処理装置を提供することにある。
【課題を解決するための手段】
【０００８】
上記の課題を解決するため、本発明の磁気情報記録媒体処理装置は、磁気データが記録される磁気情報記録媒体が搬送される媒体搬送路を備えるとともに、媒体搬送路で搬送される磁気情報記録媒体の厚さ方向の一方を第１方向とすると、第１方向側から媒体搬送路に臨むように配置される磁気ヘッドを有する磁気ヘッドモジュールと、媒体搬送路の第１方向側の搬送面が形成されるフレームとを備え、フレームには、磁気ヘッドが配置される開口部と、磁気ヘッドモジュールが固定されるモジュール固定部とが形成され、磁気ヘッドモジュールは、媒体搬送路で搬送される磁気情報記録媒体の搬送方向を回動の軸方向とする磁気ヘッドの回動が可能となるように、かつ、磁気情報記録媒体の厚さ方向へ磁気ヘッドが移動可能となるように磁気ヘッドを保持するヘッド保持部を備え、第１方向側からモジュール固定部に固定されていることを特徴とする。
【０００９】
本発明の磁気情報記録媒体処理装置は、媒体搬送路で搬送される磁気情報記録媒体の厚さ方向の一方を第１方向とすると、第１方向側から媒体搬送路に臨むように配置される磁気ヘッドを有する磁気ヘッドモジュールと、媒体搬送路の第１方向側の搬送面が形成されるフレームとを備えており、磁気ヘッドモジュールは、フレームのモジュール固定部に第１方向側から固定されている。そのため、本発明では、第１方向側からフレームに対して磁気ヘッドモジュールを着脱することが可能になる。したがって、本発明では、媒体搬送路で搬送される磁気情報記録媒体の幅方向におけるフレームの側面に沿って配置される回路基板が取り付けられた状態でも、また、回路基板に作業用の孔が形成されていなくても、磁気ヘッドを有する磁気ヘッドモジュールを容易に交換することが可能になる。
【００１０】
本発明において、ヘッド保持部は、モジュール固定部に固定される被固定部材を備え、被固定部材には、磁気情報記録媒体の搬送方向において磁気ヘッドの両側に配置されるガイド部が形成され、ガイド部は、媒体搬送路に臨むように開口部に配置されていることが好ましい。このように構成すると、媒体搬送路に向かって突出する磁気ヘッドの、ガイド部からの突出量を精度良く設定することが可能になる。したがって、媒体搬送路で搬送される磁気情報記録媒体に対する磁気ヘッドの接触圧を精度良く設定することが可能になり、その結果、磁気情報記録媒体に記録された磁気データの読取りや磁気情報記録媒体への磁気データの記録を適切に行うことが可能になる。
【００１１】
本発明において、磁気ヘッドモジュールは、たとえば、第１方向側からモジュール固定部に係合するネジによってモジュール固定部に固定されている。この場合には、第１方向側からネジを着脱することで、第１方向側からフレームに対して磁気ヘッドモジュールを着脱することが可能になる。
【発明の効果】
【００１２】
以上のように、本発明では、媒体搬送路で搬送される磁気情報記録媒体の搬送方向と磁気情報記録媒体の厚さ方向とに直交する磁気情報記録媒体の幅方向におけるフレームの側面に沿って配置される回路基板が取り付けられた状態でも、また、回路基板に作業用の孔が形成されていなくても、磁気ヘッドを有する磁気ヘッドモジュールを容易に交換することが可能になる。
【図面の簡単な説明】
【００１３】
【図１】本発明の実施の形態にかかる磁気情報記録媒体処理装置の概略構成を説明するための側面図である。
【図２】図１に示すカードの平面図である。
【図３】図１に示す磁気情報記録媒体処理装置を上面側から示す斜視図である。
【図４】図１に示す磁気情報記録媒体処理装置を下面側から示す斜視図である。
【図５】図４に示す磁気ヘッドモジュールを下フレームから取り外した状態の分解斜視図である。
【図６】図５に示す下フレームの開口部に磁気ヘッドおよびガイド部が配置された状態の断面図である。
【発明を実施するための形態】
【００１４】
以下、図面を参照しながら、本発明の実施の形態を説明する。
【００１５】
（カードリーダの全体構成）
図１は、本発明の実施の形態にかかる磁気情報記録媒体処理装置１の概略構成を説明するための側面図である。図２は、図１に示すカード２の平面図である。図３は、図１に示す磁気情報記録媒体処理装置１を上面側から示す斜視図である。図４は、図１に示す磁気情報記録媒体処理装置１を下面側から示す斜視図である。
【００１６】
本形態の磁気情報記録媒体処理装置１は、磁気データが記録される磁気情報記録媒体としてのカード２に記録されたデータの読取りやカード２へのデータの記録を行うための装置である。したがって、以下では、磁気情報記録媒体処理装置１を「カードリーダ１」とする。このカードリーダ１は、ＡＴＭ等の所定の上位装置に搭載されて使用される。また、カードリーダ１は、カード２を搬送するカード搬送機構３を備えるカード搬送式のカードリーダであり、カードリーダ１の内部には、カード２が搬送される媒体搬送路としてのカード搬送路４が形成されている。なお、図１では、カード搬送機構３の図示を省略している。
【００１７】
カード２は、たとえば、厚さが０．７〜０．８ｍｍ程度の略長方形状の塩化ビニール製のカードである。図２に示すように、カード２の裏面には、磁気データが記録される磁気ストライプ２ａが形成されている。また、カード２には、ＩＣチップが内蔵されており、カード２のおもて面には、ＩＣチップの外部接続端子２ｂが形成されている。なお、カード２は、厚さが０．１８〜０．３６ｍｍ程度のＰＥＴ（ポリエチレンテレフタレート）カードであっても良いし、所定の厚さの紙カード等であっても良い。
【００１８】
図１に示すように、カード搬送路４で搬送されるカード２は、Ｘ方向へ移動する。すなわち、Ｘ方向は、カード２の搬送方向である。Ｘ方向に直交するＺ方向は、カード搬送路４で搬送されるカード２の厚さ方向であり、Ｚ方向とＸ方向とに直交するＹ方向は、カード搬送路４で搬送されるカード２の幅方向である。本形態のカードリーダ１は、カード２の厚さ方向と上下方向（鉛直方向）とが一致するように配置されている。
【００１９】
以下の説明では、Ｘ方向を前後方向、Ｙ方向を左右方向、Ｚ方向を上下方向とする。また、Ｘ方向の一方であるＸ１方向を「手前」方向とし、その反対方向であるＸ２方向を「奥」方向とし、Ｚ方向の一方であるＺ１方向を「上」方向とし、その反対方向であるＺ２方向を「下」方向とする。本形態の下方向（Ｚ２方向）は、カード２の厚さ方向の一方である第１方向となっている。
【００２０】
カードリーダ１は、磁気ストライプ２ａに記録された磁気データの読取りや磁気ストライプ２ａへの磁気データの記録を行う磁気ヘッド５を有する磁気ヘッドモジュール６（図４参照）と、外部接続端子２ｂに接触してカード２と通信を行うためのＩＣ接点バネ７を有するＩＣ接点モジュール８（図３参照）と、カード搬送路４で搬送されるカード２を検知するための光学式センサ９（図１参照）と、カードリーダ１を制御するための電子部品等が実装される回路基板１０（図４参照）とを備えている。光学式センサ９は、上下方向でカード搬送路４を挟むように対向配置される発光素子１２および受光素子１３を備えている。
【００２１】
また、カードリーダ１は、発光素子１２が実装される回路基板１４と、受光素子１３が実装される回路基板１５とを備えている。回路基板１４、１５は、ガラスエポキシ基板等のリジッド基板であり、平板状に形成されている。さらに、カードリーダ１は、カード搬送機構３、磁気ヘッドモジュール６、ＩＣ接点モジュール８および回路基板１４、１５が取り付けられる本体フレーム１６を備えている。
【００２２】
本体フレーム１６は、本体フレーム１６の下側部分を構成する下フレーム１７と、本体フレーム１６の上側部分を構成する上フレーム１８とから構成されている。すなわち、下フレーム１７と上フレーム１８とが互いに固定されることで、本体フレーム１６が構成されている。下フレーム１７および上フレーム１８は、樹脂材料で形成されている。すなわち、本形態の本体フレーム１６は、樹脂材料のみによって形成されている。下フレーム１７と上フレーム１８との間には、カード搬送路４が形成されている。下フレーム１７には、カード搬送路４の下側の搬送面１７ａが形成され、上フレーム１８には、カード搬送路４の上側の搬送面１８ａが形成されている。
【００２３】
カード搬送機構３は、カード２の上面に当接してカード２を搬送する搬送ローラ２３（図３参照）と、搬送ローラ２３を駆動するモータ２１と、モータ２１の動力を搬送ローラ２３に伝達する動力伝達機構２２と、搬送ローラ２３に対向配置されるパッドローラ２０（図４参照）とを備えている。動力伝達機構２２は、複数のプーリやベルト等によって構成されている。
【００２４】
回路基板１０は、ガラスエポキシ基板等のリジッド基板であり、平板状に形成されている。この回路基板１０は、本体フレーム１６に固定されている。また、回路基板１０は、回路基板１０の厚さ方向と左右方向とが一致するように、左右方向における本体フレーム１６の側面に沿って配置されている。本形態では、図４に示すように、左右方向における本体フレーム１６の一方の側面に沿って回路基板１０が配置され、左右方向における本体フレーム１６の他方の側面に動力伝達機構２２を構成するプーリやベルト等が配置されている。なお、図３では、回路基板１０の図示を省略している。
【００２５】
ＩＣ接点モジュール８は、ＩＣ接点バネ７を保持するＩＣ接点ブロック３８（図１参照）と、ＩＣ接点バネ７が電気的に接続される平板状の回路基板３９（図３参照）とを備えている。このＩＣ接点モジュール８は、ＩＣ接点バネ７が上側からカード搬送路４に臨むように配置されている。ＩＣ接点モジュール８は、ＩＣ接点バネ７がカード搬送路４から退避する退避位置とＩＣ接点バネ７がカード２の外部接続端子２ｂに接触可能な接触位置との間でＩＣ接点モジュール８を移動させるソレノイド４０に連結されている（図３参照）。具体的には、ＩＣ接点モジュール８は、図示を省略するレバー部材を介して、ソレノイド４０に連結されている。
【００２６】
発光素子１２は、カード搬送路４の下側に配置されている。この発光素子１２は、ガラスエポキシ基板等のリジッド基板である回路基板１４の上面に実装されている。受光素子１３は、カード搬送路４の上側に配置されている。また、受光素子１３は、ガラスエポキシ基板等のリジッド基板である回路基板１５の下面に実装されている。
【００２７】
（磁気ヘッドモジュールおよびその周辺部分の構成）
図５は、図４に示す磁気ヘッドモジュール６を下フレーム１７から取り外した状態の分解斜視図である。図６は、図５に示す下フレーム１７の開口部１７ｆに磁気ヘッド５およびガイド部２９ｄが配置された状態の断面図である。
【００２８】
磁気ヘッド５は、下側からカード搬送路４に臨むように配置されている。具体的には、磁気ヘッド５は、磁気ヘッド５の磁気ギャップがカード搬送路４に下側から臨むように配置されている。磁気ヘッドモジュール６は、図４に示すように、左右方向において、回路基板１０が配置される側に配置されている。この磁気ヘッドモジュール６は、前後方向を回動の軸方向とする磁気ヘッド５の回動が可能となるように、かつ、上下方向へ磁気ヘッド５が移動可能となるように磁気ヘッド５を保持するヘッド保持部２５を備えている。ヘッド保持部２５は、磁気ヘッド５が固定される板バネ２６と、板バネ２６に形成される挿通孔および挿通溝のそれぞれに挿通される２本の支持ピン２７、２８と、支持ピン２７、２８が固定されるとともに下フレーム１７に固定される被固定部材２９と、板バネ２６を上側へ付勢する圧縮コイルバネ３０とを備えている。
【００２９】
被固定部材２９は、樹脂材料で形成されている。また、被固定部材２９は、前後方向に細長い略長方形の平板状に形成される上面部２９ａと、上面部２９ａの外周端から下側に向かって伸びる側壁部２９ｂとから構成されている。上面部２９ａは、上面部２９ａの厚さ方向と上下方向とが一致するように配置されている。上面部２９ａには、磁気ヘッド５の上端側部分が配置される切欠き部２９ｃが形成されている。前後方向における切欠き部２９ｃの両側には、ガイド部２９ｄが形成されている。すなわち、上面部２９ａには、前後方向において磁気ヘッド５の両側に配置されるガイド部２９ｄが形成されている。
【００３０】
上面部２９ａの、ガイド部２９ｄ以外の部分の上面は、上下方向に直交する平面状に形成されている。ガイド部２９ｄの上面は、上面部２９ａの、ガイド部２９ｄ以外の部分の上面よりも上側に配置されている。また、図６に示すように、ガイド部２９ｄの上面は、上下方向に直交する直交面２９ｅと、直交面２９ｅに対して傾斜する傾斜面２９ｆとから構成されている。直交面２９ｅは、前後方向における切欠き部２９ｃの両側に配置されている。切欠き部２９ｃの手前側に配置されるガイド部２９ｄでは、傾斜面２９ｆは、直交面２９ｅの手前端に繋がるように形成されており、この傾斜面２９ｆは、手前側に向かうにしたがって下がるように傾斜している。切欠き部２９ｃの奥側に配置されるガイド部２９ｄでは、傾斜面２９ｆは、直交面２９ｅの奥端に繋がるように形成されており、この傾斜面２９ｆは、奥側に向かうにしたがって下がるように傾斜している。
【００３１】
支持ピン２７、２８は、支持ピン２７、２８の軸方向と上下方向とが一致するように、かつ、上面部２９ａから下側へ突出するように上面部２９ａに固定されている。すなわち、支持ピン２７、２８の上端側部分は、上面部２９ａに固定されている。また、支持ピン２７は、上面部２９ａの奥端側に固定されており、磁気ヘッド５よりも奥側に配置されている。支持ピン２８は、上面部２９ａの手前端側に固定されており、磁気ヘッド５よりも手前側に配置されている。支持ピン２７と支持ピン２８とは、左右方向において同じ位置に配置されている。支持ピン２７、２８は、支持ピン２７、２８の上端側部分の外径が支持ピン２７、２８の下端側部分の外径よりも大きくなった細長い段付きの円柱状に形成されている。
【００３２】
板バネ２６は、前後方向に細長い略長方形状に形成されており、板バネ２６の厚さ方向と上下方向とが一致するように配置されている。板バネ２６の奥端側部分には、支持ピン２７が挿通される丸孔状の挿通孔が形成されている。この挿通孔の内径は、支持ピン２７の下端側部分の外径とほぼ等しくなっている。板バネ２６の手前端側部分には、支持ピン２８が挿通される挿通溝が形成されている。この挿通溝は、前後方向に細長いスリット状に形成されている。また、この挿通溝の左右方向の幅は、支持ピン２８の下端側部分の外径とほぼ等しくなっている。板バネ２６は、上面部２９ａの下側に配置されている。板バネ２６を上面部２９ａの下側に配置する際には、支持ピン２７が上側から板バネ２６の挿通孔に挿通され、支持ピン２８が上側から板バネ２６の挿通溝に挿通される。
【００３３】
板バネ２６には、磁気ヘッド５が固定される貫通孔が形成されている。この貫通孔は、板バネ２６の手前端側であって、かつ、板バネ２６の挿通溝よりも奥側に形成されている。磁気ヘッド５は、磁気ギャップが形成される磁気ヘッド５の上端側が板バネ２６よりも上側へ突出するように板バネ２６に固定されている。
【００３４】
圧縮コイルバネ３０の内周側には、被固定部材２９の上面部２９ａに形成される突起部（図示省略）が挿入されている。この突起部は、上面部２９ａの下面の、前後方向の略中心から下側へ突出する円柱状に形成されており、板バネ２６には、この突起部が挿通される貫通孔（図示省略）が形成されている。この突起部の下端面には、座金３２が当接しており、この座金３２はネジ３３によって固定されている。圧縮コイルバネ３０の下端は、座金３２の上面に当接し、圧縮コイルバネ３０の上端は、座金３４を介して板バネ２６の下面に当接している。
【００３５】
下フレーム１７は、搬送面１７ａが形成される平板状の搬送ガイド部１７ｄを備えている。搬送ガイド部１７ｄは、搬送ガイド部１７ｄの厚さ方向と上下方向とが一致するように配置されている。搬送ガイド部１７ｄには、磁気ヘッド５が配置される開口部１７ｆが形成されている。開口部１７ｆは、上下方向で搬送ガイド部１７ｄを貫通するように形成されている。本形態の下フレーム１７は、カード搬送路４の下側の搬送面１７ａが形成されるフレームである。
【００３６】
搬送ガイド部１７ｄの、前後方向における開口部１７ｆの両側部分は、磁気ヘッドモジュール６の被固定部材２９が固定されるモジュール固定部１７ｇとなっている。モジュール固定部１７ｇの下面は、被固定部材２９が下側から当接する当接面１７ｈとなっている。当接面１７ｈは、上下方向に直交する平面状に形成されている。また、モジュール固定部１７ｇの下面側には、磁気ヘッドモジュール６を固定するためのネジ３５が係合するメネジ１７ｊが形成されている。メネジ１７ｊは、開口部１７ｆの前後方向の両側の２箇所に形成されている。
【００３７】
磁気ヘッドモジュール６は、下側からモジュール固定部１７ｇに固定されている。具体的には、モジュール固定部１７ｇのメネジ１７ｊに下側から係合する２本のネジ３５によって磁気ヘッドモジュール６がモジュール固定部１７ｇに固定されている。磁気ヘッドモジュール６がモジュール固定部１７ｇに固定された状態のカードリーダ１を下側から見ると、図４に示すように、２本のネジ３５の全体が見える。また、磁気ヘッドモジュール６がモジュール固定部１７ｇに固定された状態では、上面部２９ａの、ガイド部２９ｄ以外の部分の上面が当接面１７ｈに当接している。また、磁気ヘッド５およびガイド部２９ｄは、カード搬送路４に臨むように開口部１７ｆに配置されている。図６に示すように、ガイド部２９ｄの直交面２９ｅは、搬送面１７ａよりも上側に配置されている。また、磁気ヘッド５の上端は、直交面２９ｅよりも上側に配置されている。
【００３８】
（本形態の主な効果）
以上説明したように、本形態では、下側からカード搬送路４に臨むように配置される磁気ヘッドモジュール６が、モジュール固定部１７ｇのメネジ１７ｊに下側から係合する２本のネジ３５によって、下側からモジュール固定部１７ｇに固定されており、カードリーダ１を下側から見ると２本のネジ３５の全体が見える。そのため、本形態では、下側からネジ３５を着脱して、下側から下フレーム１７に対して磁気ヘッドモジュール６を着脱することが可能になる。したがって、本形態では、左右方向における本体フレーム１６の一方の側面に沿って回路基板１０が取り付けられた状態でも、また、回路基板１０に作業用の孔が形成されていなくても、磁気ヘッドモジュール６を容易に交換することが可能になる。
【００３９】
本形態では、磁気ヘッドモジュール６を構成する被固定部材２９に、前後方向において磁気ヘッド５の両側に配置されるガイド部２９ｄが形成されており、ガイド部２９ｄは、磁気ヘッド５と一緒にカード搬送路４に臨むように、下フレーム１７の開口部１７ｆに配置されている。そのため、本形態では、カード搬送路４に向かって突出する磁気ヘッド５の、ガイド部２９ｄからの突出量を精度良く設定することが可能になる。また、本形態では、ガイド部２９ｄの直交面２９ｅが搬送面１７ａよりも上側に配置されているため、カード搬送路４で搬送されるカード２に対する磁気ヘッド５の接触圧を精度良く設定することが可能になる。したがって、本形態では、カード２に記録された磁気データの読取りやカード２への磁気データの記録を適切に行うことが可能になる。
【００４０】
（他の実施の形態）
上述した形態は、本発明の好適な形態の一例ではあるが、これに限定されるものではなく本発明の要旨を変更しない範囲において種々変形実施が可能である。
【００４１】
上述した形態では、板バネ２６は、圧縮コイルバネ３０によって上側に付勢されているが、板バネ２６は、板バネ等の他のバネ部材によって上側に付勢されても良い。また、上述した形態では、下フレーム１７の開口部１７ｆの中にガイド部２９ｄが配置されているが、開口部１７ｆの中にガイド部２９ｄが配置されていなくても良い。この場合には、被固定部材２９にガイド部２９ｄが形成されていなくても良い。
【００４２】
上述した形態では、カード２の厚さ方向と上下方向とが一致するようにカードリーダ１が配置されているが、たとえば、カード２の厚さ方向と水平方向とが一致するようにカードリーダ１が配置されても良い。また、上述した形態では、磁気情報記録媒体はカード２であるが、磁気情報記録媒体は通帳等のカード２以外の媒体であっても良い。
【符号の説明】
【００４３】
１  カードリーダ（磁気情報記録媒体処理装置）
２  カード（磁気情報記録媒体）
４  カード搬送路（媒体搬送路）
５  磁気ヘッド
６  磁気ヘッドモジュール
１７  下フレーム（フレーム）
１７ａ  搬送面
１７ｆ  開口部
１７ｇ  モジュール固定部
２５  ヘッド保持部
２９  被固定部材
２９ｄ  ガイド部
３５  ネジ
Ｘ  磁気情報記録媒体の搬送方向
Ｚ  磁気情報記録媒体の厚さ方向
Ｚ２  第１方向
【図１】
0006408968.tif 000002
【図２】
0006408968.tif 000003
【図３】
0006408968.tif 000004
【図４】
0006408968.tif 000005
【図５】
0006408968.tif 000006
【図６】
0006408968.tif 000007